(57)【要約】【課題】旧ＲＦＩＤタグの記憶するＩＤと一致するＩＤの記録された新ＲＦＩＤタグを容易に見つけることができるタグ管理装置を提供する。【解決手段】旧ＲＦＩＤタグと、新ＲＦＩＤタグのそれぞれから発信される信号を検出し、旧ＲＦＩＤタグと新ＲＦＩＤタグのそれぞれから発信された信号を比較する。そして比較の結果を出力する。【選択図】図１
2018036694.tif 000002
【特許請求の範囲】
【請求項１】
旧ＲＦＩＤタグと、新ＲＦＩＤタグのそれぞれから発信される信号を検出する信号検出部と、
前記旧ＲＦＩＤタグと前記新ＲＦＩＤタグのそれぞれから発信された信号を比較する比較部と、
前記比較の結果を出力する比較結果出力部と、
を備えるタグ管理装置。
【請求項２】
ＲＦＩＤタグのから発信される信号を検出する信号検出部と、
順次検出した複数のＲＦＩＤタグから得た信号を比較する比較部と、
前記比較の結果を出力する比較結果出力部と、
を備えるタグ管理装置。
【請求項３】
前記比較部の比較の結果、信号が一致しないと判定した場合に新ＲＦＩＤタグの探索モード処理を行う探索管理部と、
を備える請求項１または請求項２に記載のタグ管理装置。
【請求項４】
前記比較部の比較の結果、信号が一致したと判定した場合に探索成功通知を出力する探索管理部と、
を備える請求項１または請求項２に記載のタグ管理装置。
【請求項５】
前記探索管理部は前記探索モード処理において、直ちに新ＲＦＩＤタグのＩＤ読み込み処理を開始する
請求項３に記載のタグ管理装置。
【請求項６】
前記探索管理部は前記探索モード処理において、前記新ＲＦＩＤタグを読み込むための周波数の読み取り信号を出力するための制御を行う
請求項３または請求項５に記載のタグ管理装置。
【請求項７】
旧ＲＦＩＤタグと、新ＲＦＩＤタグのそれぞれから発信される信号を検出し、
前記旧ＲＦＩＤタグと前記新ＲＦＩＤタグのそれぞれから発信された信号を比較し、
前記比較の結果を出力する
るタグ管理方法。
【請求項８】
タグ管理装置のコンピュータを、
旧ＲＦＩＤタグと、新ＲＦＩＤタグのそれぞれから発信される信号を検出する信号検出手段、
前記旧ＲＦＩＤタグと前記新ＲＦＩＤタグのそれぞれから発信された信号を比較する比較手段、
前記比較の結果を出力する比較結果出力手段、
として機能させるプログラム。
【発明の詳細な説明】
【技術分野】
【０００１】
本発明は、タグ管理装置、タグ管理方法、プログラムに関する。
【背景技術】
【０００２】
コンテナ等の管理対象物の管理の為にＩＤ情報の記録されたＲＦＩＤタグをそれら管理対象物に張り付けることがある。管理対象物がコンテナの場合には、ＲＦＩＤタグは長い間、管理対象物に張り付けた状態となるが、経年劣化等により新しいＲＦＩＤを張り付けて管理することが検討され、またはそのような管理が既に行われている。なおＲＦＩＤタグを用いた技術が特許文献１，２に開示されている。
【先行技術文献】
【特許文献】
【０００３】
【特許文献１】特開２００７−３３４７０３号公報
【特許文献２】特表２０１３−５１９１６０号公報
【発明の概要】
【発明が解決しようとする課題】
【０００４】
ところで既に管理対象物に張り付けられているＲＦＩＤタグの経年劣化等により、当該管理対象物に新しいＲＦＩＤタグを張り付ける際、管理対象物に張り付ける旧ＲＦＩＤタグと新ＲＦＩＤタグで記録されているＩＤを一致させることが求められる。しかしながらＲＦＩＤタグに記録されるＩＤはタグに記載がなければ確認することはできない。そして旧ＲＦＩＤタグに記録されるＩＤと一致するＩＤの記録された新ＲＦＩＤタグが管理対象物に張り付けられることを正確に確認することが求められている。
【０００５】
そこでこの発明は、上述の課題を解決するタグ管理装置、タグ管理方法、プログラムを提供することを目的としている。
【課題を解決するための手段】
【０００６】
本発明の第１の態様によれば、タグ管理装置は、旧ＲＦＩＤタグと、新ＲＦＩＤタグのそれぞれから発信される信号を検出する信号検出部と、前記旧ＲＦＩＤタグと前記新ＲＦＩＤタグのそれぞれから発信された信号を比較する比較部と、前記比較の結果を出力する比較結果出力部と、を備える。
【０００７】
本発明の第２の態様によれば、タグ管理装置は、ＲＦＩＤタグのから発信される信号を検出する信号検出部と、順次検出した複数のＲＦＩＤタグから得た信号を比較する比較部と、前記比較の結果を出力する比較結果出力部と、を備える。
【０００８】
本発明の第３の態様によれば、タグ管理方法は、旧ＲＦＩＤタグと、新ＲＦＩＤタグのそれぞれから発信される信号を検出し、前記旧ＲＦＩＤタグと前記新ＲＦＩＤタグのそれぞれから発信された信号を比較し、前記比較の結果を出力する。
【０００９】
本発明の第３の態様によれば、プログラムは、タグ管理装置のコンピュータを、旧ＲＦＩＤタグと、新ＲＦＩＤタグのそれぞれから発信される信号を検出する信号検出手段、前記旧ＲＦＩＤタグと前記新ＲＦＩＤタグのそれぞれから発信された信号を比較する比較手段、前記比較の結果を出力する比較結果出力手段、として機能させる。
【発明の効果】
【００１０】
本発明によれば、旧ＲＦＩＤタグに記録されるＩＤと一致するＩＤの記録された新ＲＦＩＤタグを容易に見つけることができる。また本発明によれば、管理対象物に張り付けられている旧ＲＦＩＤタグに記録されるＩＤと新ＲＦＩＤタグに記録されるＩＤとが一致するかを容易に把握でき、旧ＲＦＩＤタグに記録されるＩＤと同じＩＤを記録する新ＲＦＩＤタグの貼り間違いを防止することができる。
【図面の簡単な説明】
【００１１】
【図１】本発明の一実施形態によるタグ管理システムを示す図である。
【図２】本発明の一実施形態によるタグ管理装置のハードウェア構成を示す図である。
【図３】本発明の一実施形態によるタグ管理装置の機能ブロック図である。
【図４】本発明の一実施形態によるタグ管理装置の概観図である。
【図５】本発明の第一の実施形態によるタグ管理装置の処理フローを示す図である。
【図６】本発明の第二の実施形態によるタグ管理装置の処理フローを示す図である。
【図７】本発明の第三の実施形態によるタグ管理装置の処理フローを示す図である。
【図８】本発明のタグ管理装置の最小構成を示す図である。
【発明を実施するための形態】
【００１２】
（第一の実施形態）
以下、本発明の第一の実施形態によるタグ管理装置を図面を参照して説明する。
図１は同実施形態によるタグ管理装置とＲＦＩＤタグとを含むタグ管理システムを示す図である。
この図で示すように管理対象物１０には旧ＲＦＩＤタグ２１と新ＲＦＩＤタグ２２が張り付けられている。管理対象物１０がコンテナである場合、旧ＲＦタグ２１や新ＲＦＩＤタグ２２にはこのコンテナを一意に特定するためのＩＤが記録される必要がある。これにより一つのコンテナの管理において新ＲＦＩＤタグ２２を張り付ける前と後で整合させて管理を継続することができる。つまり旧ＲＦＩＤタグ２１に記録されるＩＤと、新ＲＦＩＤタグ２２に記録されるＩＤは、一致していなければならない。新ＲＦＩＤタグ２２にはタグ製造者の作業等によって既に旧ＲＦＩＤタグに記録されているＩＤと同じＩＤが記録されていてよい。または管理対象物１０の管理者が新ＲＦＩＤタグ２２に旧ＲＦＩＤタグ２１の記録されているＩＤと同じＩＤを記録してもよい。管理対象物１０の数が多い場合には、各管理対象物１０に対応する新ＲＦＩＤタグ２２を製造し、それらの新ＲＦＩＤタグ２２に各管理対象物１０のＩＤをそれぞれ記録する。管理対象物１０の管理者は、複数の新ＲＦＩＤタグ２２の中から、管理対象物１０を一意に特定するＩＤの記録された新ＲＦＩＤタグ２２を一つ見つけて、管理対象物１０に張り付ける。または既に管理対象物１０に新ＲＦＩＤタグ２２が張り付けられている場合には、近傍に予め張り付けられている旧ＲＩＦＤタグ２１のＩＤと一致するＩＤの記録されている新ＲＦＩＤタグ２２が正常に張り付けられているかを確認する。
【００１３】
図２はタグ管理装置のハードウェア構成を示す図である。
タグ管理装置１は、ＣＰＵ（Central Processing Unit）１１、ＲＡＭ（Random Access Memory）１２、ＲＯＭ（Read Only Memory）１３、ＨＤＤ（Hard Disk Drive）１４、通信モジュール１５、表示画面１６、ＩＦ（Interface）１７、リーダライタモジュール１８、などのハードウェアを備えている。リーダライタモジュール１８は、旧ＲＦＩＤタグ２１と新ＲＦＩＤタグ２２のそれぞれにＩＤなどの情報を書き込み、またそれら情報を読み取ることができるハードウェアであり、アンテナなどが備わる。リーダライタモジュール１８は、旧ＲＦＩＤタグ２１と新ＲＦＩＤタグ２２対して、異なる周波数の信号によりそれぞれ情報を読み書きしてもよいし、同じ周波数の信号により情報を読み書きしてもよい。リーダライタモジュール１８は、旧ＲＦＩＤタグ２１と新ＲＦＩＤタグ２２対して、異なる周波数の信号によりそれぞれ情報を読み書きできる機能を有している場合には各周波数に対応するアンテナを備える（第一ＲＦＩＤアンテナ，第二ＲＦＩＤアンテナ）。本実施形態においてリーダライタモジュール１８は、旧ＲＦＩＤタグ２１と新ＲＦＩＤタグ２２対して、異なる周波数の信号によりそれぞれ情報を読み書きするハードウェアであるとして記載する。
【００１４】
図３はタグ管理装置の機能ブロック図である。
タグ管理装置１はＣＰＵ１１がＨＤＤ１４などに記録されるタグ管理プログラムを実行する。当該プログラムの実行により、タグ管理装置１には、制御部１００、信号検出部１０１、比較部１０２、比較結果出力部１０３、探索管理部１０４などの機能が備わる。
制御部１００は、他の処理部を制御する。
信号検出部１０１は、旧ＲＦＩＤタグ２１と、新ＲＦＩＤタグ２２のそれぞれから発信される信号を検出する。
比較部１０２は、旧ＲＦＩＤタグ２１と、新ＲＦＩＤタグ２２のそれぞれから発信された信号を比較する。
比較結果出力部１０３は、旧ＲＦＩＤタグ２１と新ＲＦＩＤタグ２２のそれぞれから受信した信号の比較の結果を出力する。
探索管理部１０４は、比較部１０２の比較の結果、信号が一致しないと判定した場合に新ＲＦＩＤタグ２２の探索モード処理を開始する。
【００１５】
図４はタグ管理装置の概観図である。
タグ管理装置１は一例として図４で示すように箱型の筐体に表示画面１６が設けられている。表示画面１６は例えばタッチパネルセンサの機能を有しており、情報を表示すると共に、ユーザが指等で操作したことを検知し情報を入力する。当該情報の入力の制御はＩＦ１７が行い、ＩＦ１７は入力した情報をＣＰＵ１１等に出力する。タグ管理装置１はリーダライタモジュール１８が備わり、当該リーダライタモジュール１８には旧ＲＦＩＤタグ２１、新ＲＦＩＤタグ２２に対応するアンテナが内蔵されている。
【００１６】
図５は第一の実施形態によるタグ管理装置の処理フローを示す図である。
次にタグ管理装置の処理フローを順を追って説明する。
管理対象物１０の管理者などのタグ管理装置１を利用するユーザは、タグ管理装置１の電源を入れて動作させる。するとタグ管理装置１のＣＰＵ１１はタグ管理プログラムを起動する。これによりタグ管理装置１は図３で示す各処理部の機能を有することとなる。管理対象物１０（コンテナ）には既に旧ＲＦＩＤタグ２１と新ＲＦＩＤタグ２２が並んで張り付けられているとする。旧ＲＦＩＤタグ２１は例えば数年前に張り付けられたものであり経年劣化が進んでいる。新ＲＦＩＤタグ２２は旧ＲＦＩＤタグ２１に対応するＲＩＦＤタグとして新たに張り付けられたＲＦＩＤタグである。表示画面１６に表示される画像中には作業開始ボタンが表示されているものとする。この状態で、ユーザは表示画面１６に表示されている作業開始ボタンを押下操作する。タグ管理装置１の制御部１００は作業開始ボタンの押下を検知する（ステップＳ５０１）。
【００１７】
タグ管理装置１の制御部１００は作業開始ボタンの押下を検知すると、リーダライタモジュール１８に旧ＲＩＦＤタグ読取指示を出力する。するとリーダライタモジュール１８の第一ＲＦＩＤアンテナは、旧ＲＦＩＤタグ２１から情報を読み取る読み取り信号を周波数Ａにより出力する（ステップＳ５０２）。旧ＲＦＩＤタグ２１は読み取り信号を受信しＩＤを含む第一信号を発信する。第一ＲＦＩＤアンテナはＩＤを含む第一信号を受信しＣＰＵ１１に出力する。ＣＰＵ１１に構成された機能部である信号検出部１０１は、第一信号に含まれるＩＤを検知してＲＡＭ１２に旧ＲＦＩＤタグ２１であることを示す識別情報と共に書き込む（ステップＳ５０３）。この時、制御部１００は、第一信号を受信してＩＤを検知したことをユーザに通知するための第一報知情報（音や表示情報）を出力するように制御してもよい。
【００１８】
第一ＩＤ信号に含まれるＩＤを検知すると、次に制御部１００はリーダライタモジュール１８に新ＲＩＦＤタグ読取指示を出力する。リーダライタモジュール１８の第二ＲＦＩＤアンテナは、新ＲＦＩＤタグ２２から情報を読み取る読み取り信号を周波数Ｂにより出力する（ステップＳ５０４）。新ＲＦＩＤタグ２２は読み取り信号を受信しＩＤを含む第二信号を発信する。第二ＲＦＩＤアンテナはＩＤを含む第二信号を受信しＣＰＵ１１に出力する。信号検出部１０１は、第二信号に含まれるＩＤを検知してＲＡＭ１２に新ＲＦＩＤタグ２２であることを示す識別情報と共に書き込む（ステップＳ５０５）。この時、制御部１００は、第二信号を受信してＩＤを検知したことをユーザに通知するための第二報知情報（音や表示情報）を出力するように制御してもよい。第一報知情報と第二報知情報とはユーザが区別できるように異なる音を出力する為の情報であってよい。これによりユーザは、旧ＲＦＩＤタグ２１と新ＲＦＩＤタグ２２の両方のＩＤを正常に読み取ったことを把握することができる。
【００１９】
制御部１００は旧ＲＦＩＤタグ２１と新ＲＦＩＤタグ２２の両方のＩＤをＲＡＭ１２に書き込むと、比較部１０２に比較指示を出力する。比較部１０２はＲＡＭ１２に書き込まれた各ＩＤを比較する（ステップＳ５０６）。比較部１０２は比較の結果である一致または不一致を示す情報を比較結果出力部１０３に出力する。比較結果出力部１０３は一致を示す情報を取得した場合、表示画面１６に一致を示す画像を表示し、またスピーカが一致を示す音の出力が発するよう制御する（ステップＳ５０７）。比較結果出力部１０３は不一致を示す情報を取得した場合、表示画面１６に不一致を示す画像を表示し、またスピーカが不一致を示す音の出力が発するよう制御する（ステップＳ５０８）。
【００２０】
比較部１０２は比較の結果が不一致である場合、探索管理部１０４に処理開始を指示する。探索管理部１０４は不一致を示す情報を比較部１０２から入力すると、新ＲＦＩＤタグ２２の探索モード処理を開始する（ステップＳ５０９）。具体的には探索管理部１０４は、リーダライタモジュール１８に新ＲＩＦＤタグ読取指示の出力を継続するよう指示する。リーダライタモジュール１８の第二ＲＦＩＤアンテナは、新ＲＦＩＤタグ２２から情報を読み取る読み取り信号を周波数Ｂにより出力し、この出力を継続する（ステップＳ５１０）。
【００２１】
ユーザは箱等に収められている多くの新ＲＦＩＤタグ２２の中から一つを取り出して、リーダライタモジュール１８にかざす。するとユーザにより取り出された新ＲＦＩＤタグ２２は読み取り信号を受信しＩＤを含む第二信号を発信する。第二ＲＦＩＤアンテナはＩＤを含む第二信号を受信しＣＰＵ１１に出力する。探索管理部１０４は、第二信号に含まれるＩＤを検知して、そのＩＤと、ＲＡＭ１２に旧ＲＦＩＤタグ２１の種別情報に関連付けて既に登録されているＩＤとを比較する（ステップＳ５１１）。探索管理部１０４は一致していればユーザが箱から取り出した新ＲＦＩＤタグ２２が管理対象物１０に張り付けられている旧ＲＦＩＤタグ２１の記憶するＩＤと同じＩＤが記録されたタグであると判定する。探索管理部１０４は、ＩＤが一致した場合には、表示画面１６に一致を示す画像を表示し、またスピーカが一致を示す音の出力が発するよう制御する（ステップＳ５１２）。ユーザは一致を示す画像や音が出力された場合、箱から取り出したその新ＲＦＩＤタグ２２が、管理対象物１０に張り付けられている旧ＲＦＩＤタグ２１と同じＩＤが記録された正しいＲＦＩＤタグ２２であると認識し、現在旧ＲＦＩＤタグ２１に並べて張り付けられている新ＲＦＩＤタグ２２を取り外し、正しい新ＲＦＩＤタグ２２を旧ＲＦＩＤタグ２１に並べて張り付ける。
【００２２】
探索管理部１０４はＩＤが一致していなければ、表示画面１６に不一致を示す画像を表示し、またスピーカが不一致を示す音の出力が発するよう制御する（ステップＳ５１３）。探索管理部１０４は新たに第二信号に含まれるＩＤを検知して、上記ステップＳ５１０からの処理を繰り返す。表示画面１６には、探索処理終了のボタンが表示されている。探索管理部１０４は、探索処理終了のボタンが押下されたかを判定する（ステップＳ５１４）。探索管理部１０４は探索処理終了のボタンが押下された場合には、探索モード処理を終了する。探索管理部１０４はリーダライタモジュール１８に新ＲＩＦＤタグ読取指示の出力を終了するよう指示する。これにより第二ＲＦＩＤアンテナは第二信号の出力を停止する（ステップＳ５１５）。
【００２３】
上述のタグ管理装置１の処理によれば、管理対象物１０に取り付けられている旧ＲＦＩＤタグ２１と新ＲＦＩＤタグ２２のＩＤを自動で読み取る。そしてそれらのＩＤが一致していなければ、直ちに新ＲＦＩＤタグ２２のＩＤの読み取りを開始する。ユーザはタグ管理装置１に他の新ＲＦＩＤタグ２２をかざすだけで、その新ＲＦＩＤタグ２２に記録されているＩＤが旧ＲＦＩＤタグ２１と一致するかを把握することができる。
【００２４】
（第二の実施形態）
図６は第二の実施形態によるタグ管理装置の処理フローを示す図である。
次に第二の実施形態によるタグ管理装置１の処理について説明する。第二の実施形態によるタグ管理装置１と、第一の実施形態のタグ管理装置１との違いはその処理である。
第二の実施形態においては、旧ＲＦＩＤタグ２１と新ＲＦＩＤタグ２２のそれぞれから読み取る信号の周波数が同一の場合の例である。
【００２５】
この場合、管理対象物１０の管理者などのタグ管理装置１を利用するユーザは、タグ管理装置１を動作させる。タグ管理装置１のＣＰＵ１１はタグ管理プログラムを起動する。これによりタグ管理装置１は図３で示す各処理部の機能を有することとなる。コンテナには既に旧ＲＦＩＤタグ２１と新ＲＦＩＤタグ２２が並んで張り付けられているとする。旧ＲＦＩＤタグ２１は数年前に張り付けられたものであり経年劣化が進んでいる。新ＲＦＩＤタグ２２は旧ＲＦＩＤタグ２１に対応するＲＩＦＤタグとして新たに張り付けられたＲＦＩＤタグである。表示画面１６に表示される画像中には作業開始ボタンが表示されているものとする。この状態で、ユーザは表示画面１６に表示されている作業開始ボタンを押下操作する。タグ管理装置１の制御部１００は作業開始ボタンの押下を検知する（ステップＳ６０１）。
【００２６】
タグ管理装置１の制御部１００は作業開始ボタンの押下を検知すると、リーダライタモジュール１８にＲＩＦＤタグ読取指示を出力する。するとリーダライタモジュール１８のＲＦＩＤアンテナは、旧ＲＦＩＤタグ２１と新ＲＦＩＤタグ２２から情報を読み取る読み取り信号を周波数Ａにより出力する（ステップＳ６０２）。なおリーダライタモジュール１８は周波数Ａの読み取り信号を複数回出力することにより、その読み取り信号の受信に基づいて信号を発信する旧ＲＦＩＤタグ２１と新ＲＦＩＤタグ２２のそれぞれからＩＤを含む信号を受信する。なお旧ＲＦＩＤタグ２１の発信した信号と、新ＲＦＩＤタグＩＤ２２の発信した信号のコリジョンが発生したとしても、公知の技術によりそのコリジョンを回避することができるものとする。
【００２７】
旧ＲＦＩＤタグ２１と新ＲＦＩＤタグ２２は、読み取り信号を受信しタグＩＤと製造番号とを含む信号をそれぞれ発信する。ＲＦＩＤアンテナは旧ＲＦＩＤタグ２１と新ＲＦＩＤタグ２２の発信した信号（タグＩＤと製造番号を含む信号）をそれぞれ受信し、ＣＰＵ１１に異なるタイミングで出力する。ＣＰＵ１１の信号検出部１０１は、信号に含まれるタグＩＤとＲＦＩＤタグの製造番号をそれぞれ抽出する（ステップＳ６０３）。信号検出部１０１はそれらタグＩＤと製造番号の組を２組、比較部１０２へ出力する。比較部１０２は、各タグＩＤを比較する（ステップＳ６０４）。比較部１０２は、比較の結果である一致または不一致を示す情報を比較結果出力部１０３に出力する。比較結果出力部１０３は一致を示す情報を取得した場合、表示画面１６に一致を示す画像を表示し、またスピーカが一致を示す音の出力が発するよう制御する（ステップＳ６０５）。比較結果出力部１０３は不一致を示す情報を取得した場合、表示画面１６に不一致を示す画像を表示し、またスピーカが不一致を示す音の出力が発するよう制御する（ステップＳ６０６）。
【００２８】
比較部１０２は比較の結果が不一致である場合、探索管理部１０４に処理を指示する。探索管理部１０４は不一致を示す情報を比較部１０２から入力すると、新ＲＦＩＤタグ２２の探索モード処理を開始する（ステップＳ６０７）。具体的には探索管理部１０４は、リーダライタモジュール１８に新ＲＩＦＤタグ読取指示の出力を継続するよう指示する。リーダライタモジュール１８のＲＦＩＤアンテナは読み取り信号出力し、この出力を継続する（ステップＳ６０８）。
【００２９】
ユーザは箱等に収められている多くの新ＲＦＩＤタグ２２の中から一つを取り出して、リーダライタモジュール１８にかざす。するとユーザにより取り出された新ＲＦＩＤタグ２２は読み取り信号を受信しＩＤと製造番号とを含む信号を発信する。ＲＦＩＤアンテナはＩＤと製造番号とを含む信号を受信しＣＰＵ１１に出力する。探索管理部１０４は、信号に含まれるＩＤと製造番号を検知する（ステップＳ６０９）。探索管理部１０４はステップＳ６０３で抽出したＩＤと製造番号のうち、旧ＲＦＩＤタグ２１の製造番号を示すＩＤと製造番号の組を特定する（ステップＳ６１０）。旧ＲＦＩＤタグ２１の製造番号はタグ管理装置１において既知であるとする。探索管理部１０４は、ステップＳ６０８で検知したＩＤと、ステップＳ６０９で特定したＩＤとを比較する（ステップＳ６１１）。探索管理部１０４は一致していればユーザが箱から取り出した新ＲＦＩＤタグ２２が、管理対象物１０に張り付けられている旧ＲＦＩＤタグ２１の記憶するＩＤと同じＩＤが記録されたタグであると判定する。探索管理部１０４は、ＩＤが一致した場合には、表示画面１６に一致を示す画像を表示し、またスピーカが一致を示す音の出力が発するよう制御する（ステップＳ６１２）。ユーザは一致を示す画像や音が出力された場合、箱から取り出したその新ＲＦＩＤタグ２２が、管理対象物１０に張り付けられている旧ＲＦＩＤタグ２１と同じＩＤが記録された正しいＲＦＩＤタグ２２であると認識し、現在旧ＲＦＩＤタグ２１に並べて張り付けられている新ＲＦＩＤタグ２２を取り外し、正しい新ＲＦＩＤタグ２２を旧ＲＦＩＤタグ２１に並べて張り付ける。
【００３０】
探索管理部１０４はＩＤが一致していなければ、表示画面１６に不一致を示す画像を表示し、またスピーカが不一致を示す音の出力が発するよう制御する（ステップＳ６１３）。探索管理部１０４は新たに第二信号に含まれるＩＤを検知して、上記ステップＳ５１０からの処理を繰り返す。表示画面１６には、探索処理終了のボタンが表示されている。探索管理部１０４は、探索処理終了のボタンが押下されたかを判定する（ステップＳ６１４）。探索管理部１０４は探索処理終了のボタンが押下された場合には、探索モード処理を終了する。探索管理部１０４はリーダライタモジュール１８に新ＲＩＦＤタグ読取指示の出力を終了するよう指示する。これにより第二ＲＦＩＤアンテナは第二信号の出力を停止する（ステップＳ６１５）。
【００３１】
上述のタグ管理装置１の処理によれば、管理対象物１０に取り付けられている旧ＲＦＩＤタグ２１と新ＲＦＩＤタグ２２のＩＤを自動で読み取る。そしてそれらのＩＤが一致していなければ、直ちに新ＲＦＩＤタグ２２のＩＤの読み取りを開始する。ユーザはタグ管理装置１に他の新ＲＦＩＤタグ２２をかざすだけで、その新ＲＦＩＤタグ２２に記録されているＩＤが旧ＲＦＩＤタグ２１と一致するかを把握することができる。
【００３２】
（第三の実施形態）
図７は第三の実施形態によるタグ管理装置の処理フローを示す図である。
次に第三の実施形態によるタグ管理装置１の処理について説明する。第三の実施形態によるタグ管理装置１と、第一の実施形態のタグ管理装置１との違いはその処理である。
第三の実施形態においては、管理対象物１０には旧ＲＦＩＤタグ２１が張り付けられており、未だ新ＲＦＩＤタグ２２が張り付けられていない状態であるとする。この状態で、ユーザは、旧ＲＦＩＤタグ２１の記憶するＩＤと一致する新ＲＦＩＤタグ２２を、多くの新ＲＦＩＤタグ２２が詰められている箱の中から選択し、旧ＲＦＩＤタグ２１の横に張り付ける。
【００３３】
この実施形態の場合、管理対象物１０の管理者などのタグ管理装置１を利用するユーザは、タグ管理装置１を動作させる。タグ管理装置１のＣＰＵ１１はタグ管理プログラムを起動する。これによりタグ管理装置１は図３で示す各処理部の機能を有することとなる。コンテナには既に旧ＲＦＩＤタグ２１が張り付けられている。旧ＲＦＩＤタグ２１は数年前に張り付けられたものであり経年劣化が進んでいる。表示画面１６に表示される画像中には作業開始ボタンが表示されているものとする。この状態で、ユーザは表示画面１６に表示されている作業開始ボタンを押下操作する。タグ管理装置１の制御部１００は作業開始ボタンの押下を検知する（ステップＳ７０１）。
【００３４】
タグ管理装置１の制御部１００は作業開始ボタンの押下を検知すると、リーダライタモジュール１８に旧ＲＩＦＤタグ読取指示を出力する。するとリーダライタモジュール１８の第一ＲＦＩＤアンテナは、旧ＲＦＩＤタグ２１から情報を読み取る読み取り信号を周波数Ａにより出力する（ステップＳ７０２）。旧ＲＦＩＤタグ２１は読み取り信号を受信しＩＤを含む第一信号を発信する。第一ＲＦＩＤアンテナはＩＤを含む第一信号を受信しＣＰＵ１１に出力する。ＣＰＵ１１の信号検出部１０１は、第一信号に含まれるＩＤを検知してＲＡＭ１２に旧ＲＦＩＤタグ２１であることを示す識別情報と共に書き込む（ステップＳ７０３）。この時、制御部１００は、第一信号を受信してＩＤを検知したことをユーザに通知するための第一報知情報（音や表示情報）を出力するように制御してもよい。
【００３５】
制御部１００は第一信号を受信してＩＤを検出すると、探索管理部１０４に処理開始を指示する。すると探索管理部１０４は新ＲＦＩＤタグ２２の探索モード処理を開始する（ステップＳ７０４）。具体的には探索管理部１０４は、リーダライタモジュール１８に新ＲＩＦＤタグ読取指示の出力を継続するよう指示する。リーダライタモジュール１８の第二ＲＦＩＤアンテナは、新ＲＦＩＤタグ２２から情報を読み取る読み取り信号を周波数Ｂにより出力し、この出力を継続する（ステップＳ７０５）。
【００３６】
ユーザは箱等に収められている多くの新ＲＦＩＤタグ２２の中から一つを取り出して、リーダライタモジュール１８にかざす。するとユーザにより取り出された新ＲＦＩＤタグ２２は読み取り信号を受信しＩＤを含む第二信号を発信する。第二ＲＦＩＤアンテナはＩＤを含む第二信号を受信しＣＰＵ１１に出力する。探索管理部１０４は、第二信号に含まれるＩＤを検知して、そのＩＤと、ＲＡＭ１２に旧ＲＦＩＤタグ２１の種別情報に関連付けて既に登録されているＩＤとを比較する（ステップＳ７０６）。探索管理部１０４は一致していればユーザが箱から取り出した新ＲＦＩＤタグ２２が管理対象物１０に張り付けられている旧ＲＦＩＤタグ２１の記憶するＩＤと同じＩＤが記録されたタグであると判定する。探索管理部１０４は、ＩＤが一致した場合には、表示画面１６に一致を示す画像を表示し、またスピーカが一致を示す音の出力が発するよう制御する（ステップＳ７０７）。ユーザは一致を示す画像や音が出力された場合、箱から取り出したその新ＲＦＩＤタグ２２が、管理対象物１０に張り付けられている旧ＲＦＩＤタグ２１と同じＩＤが記録された正しいＲＦＩＤタグ２２であると認識し、現在旧ＲＦＩＤタグ２１に並べてその新ＲＦＩＤタグ２２を張り付ける。
【００３７】
探索管理部１０４はＩＤが一致していなければ、表示画面１６に不一致を示す画像を表示し、またスピーカが不一致を示す音の出力が発するよう制御する（ステップＳ７０８）。探索管理部１０４は新たに第二信号に含まれるＩＤを検知して、上記ステップＳ６０５からの処理を繰り返す。表示画面１６には、探索処理終了のボタンが表示されている。探索管理部１０４は、探索処理終了のボタンが押下されたかを判定する（ステップＳ７０９）。探索管理部１０４は探索処理終了のボタンが押下された場合には、探索モード処理を終了する。探索管理部１０４はリーダライタモジュール１８に新ＲＩＦＤタグ読取指示の出力を終了するよう指示する。これにより第二ＲＦＩＤアンテナは第二信号の出力を停止する（ステップＳ７１０）。
【００３８】
上述のタグ管理装置１の処理によれば、管理対象物１０に取り付けられている旧ＲＦＩＤタグ２１のＩＤと一致するＩＤを記憶する新ＲＦＩＤタグ２２を容易に探すことができる。
【００３９】
図８はタグ管理装置の最小構成を示す図である。
この図が示すように、タグ管理装置１は少なくとも、旧ＲＦＩＤタグ２１と、新ＲＦＩＤタグ２２のそれぞれから発信される信号を検出する信号検出部１０１と、旧ＲＦＩＤタグ２１と新ＲＦＩＤタグ２２のそれぞれから発信された信号を比較する比較部１０２と、比較の結果を出力する比較結果出力部１０３とを備えればよい。
【００４０】
上述のタグ管理装置１は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４１】
上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４２】
１・・・タグ管理装置
１０・・・管理対象物
２１・・・旧ＲＦＩＤタグ
２２・・・新ＲＦＩＤタグ
１１・・・ＣＰＵ
１２・・・ＲＡＭ
１３・・・ＲＯＭ
１４・・・ＨＤＤ
１５・・・通信モジュール
１６・・・表示画面
１７・・・ＩＦ
１８・・・リーダライタモジュール
１００・・・制御部
１０１・・・信号検出部
１０２・・・比較部
１０３・・・比較結果出力部
１０４・・・探索管理部
【図１】
2018036694.tif 000003
【図２】
2018036694.tif 000004
【図３】
2018036694.tif 000005
【図４】
2018036694.tif 000006
【図５】
2018036694.tif 000007
【図６】
2018036694.tif 000008
【図７】
2018036694.tif 000009
【図８】
2018036694.tif 000010
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
旧ＲＦＩＤタグと、新ＲＦＩＤタグのそれぞれから発信される信号を検出する信号検出部と、
前記旧ＲＦＩＤタグと前記新ＲＦＩＤタグのそれぞれから発信された信号に含まれるＩＤを比較する初回の比較処理と、当該初回の比較処理の結果、前記旧ＲＦＩＤタグと前記新ＲＦＩＤタグのそれぞれから発信された信号に含まれるＩＤが一致しない場合に行われる探索モード処理において前記初回の比較処理において用いた前記旧ＲＦＤタグから発信された信号に含まれるＩＤと、新たな新ＲＦＩＤタグから発信された信号に含まれるＩＤとの比較を繰り返す繰り返し比較処理とを行う比較部と、
前記比較の結果を出力する比較結果出力部と、
を備えるタグ管理装置。
【請求項２】
前記比較部の比較の結果、信号が一致しないと判定した場合に新ＲＦＩＤタグの前記探索モード処理を行う探索管理部と、
を備える請求項１に記載のタグ管理装置。
【請求項３】
前記比較部の比較の結果、信号に含まれるＩＤが一致したと判定した場合に探索成功通知を出力する探索管理部と、
を備える請求項１または請求項２に記載のタグ管理装置。
【請求項４】
前記探索管理部は前記探索モード処理において、直ちに新ＲＦＩＤタグのＩＤ読み込み処理を開始する
請求項３に記載のタグ管理装置。
【請求項５】
前記探索管理部は前記探索モード処理において、前記新ＲＦＩＤタグを読み込むための周波数の読み取り信号を出力するための制御を行う
請求項３または請求項４に記載のタグ管理装置。
【請求項６】
旧ＲＦＩＤタグと、新ＲＦＩＤタグのそれぞれから発信される信号を検出し、
前記旧ＲＦＩＤタグと前記新ＲＦＩＤタグのそれぞれから発信された信号に含まれるＩＤを比較する初回の比較処理と、当該初回の比較処理の結果、前記旧ＲＦＩＤタグと前記新ＲＦＩＤタグのそれぞれから発信された信号に含まれるＩＤが一致しない場合に行われる探索モード処理において前記初回の比較処理において用いた前記旧ＲＦＤタグから発信された信号に含まれるＩＤと、新たな新ＲＦＩＤタグから発信された信号に含まれるＩＤとの比較を繰り返す繰り返し比較処理とを行い、
前記比較の結果を出力する
タグ管理方法。
【請求項７】
タグ管理装置のコンピュータを、
旧ＲＦＩＤタグと、新ＲＦＩＤタグのそれぞれから発信される信号を検出する信号検出手段、
前記旧ＲＦＩＤタグと前記新ＲＦＩＤタグのそれぞれから発信された信号に含まれるＩＤを比較する初回の比較処理と、当該初回の比較処理の結果、前記旧ＲＦＩＤタグと前記新ＲＦＩＤタグのそれぞれから発信された信号に含まれるＩＤが一致しない場合に行われる探索モード処理において前記初回の比較処理において用いた前記旧ＲＦＤタグから発信された信号に含まれるＩＤと、新たな新ＲＦＩＤタグから発信された信号に含まれるＩＤとの比較を繰り返す繰り返し比較処理とを行う比較手段、
前記比較の結果を出力する比較結果出力手段、
として機能させるプログラム。
【手続補正２】
【補正対象書類名】明細書
【補正対象項目名】０００６
【補正方法】変更
【補正の内容】
【０００６】
本発明の第１の態様によれば、タグ管理装置は、旧ＲＦＩＤタグと、新ＲＦＩＤタグのそれぞれから発信される信号を検出する信号検出部と、前記旧ＲＦＩＤタグと前記新ＲＦＩＤタグのそれぞれから発信された信号に含まれるＩＤを比較する初回の比較処理と、当該初回の比較処理の結果、前記旧ＲＦＩＤタグと前記新ＲＦＩＤタグのそれぞれから発信された信号に含まれるＩＤが一致しない場合に行われる探索モード処理において前記初回の比較処理において用いた前記旧ＲＦＤタグから発信された信号に含まれるＩＤと、新たな新ＲＦＩＤタグから発信された信号に含まれるＩＤとの比較を繰り返す繰り返し比較処理とを行う比較部と、前記比較の結果を出力する比較結果出力部と、を備える。
【手続補正３】
【補正対象書類名】明細書
【補正対象項目名】０００８
【補正方法】変更
【補正の内容】
【０００８】
本発明の第３の態様によれば、タグ管理方法は、旧ＲＦＩＤタグと、新ＲＦＩＤタグのそれぞれから発信される信号を検出し、前記旧ＲＦＩＤタグと前記新ＲＦＩＤタグのそれぞれから発信された信号に含まれるＩＤを比較する初回の比較処理と、当該初回の比較処理の結果、前記旧ＲＦＩＤタグと前記新ＲＦＩＤタグのそれぞれから発信された信号に含まれるＩＤが一致しない場合に行われる探索モード処理において前記初回の比較処理において用いた前記旧ＲＦＤタグから発信された信号に含まれるＩＤと、新たな新ＲＦＩＤタグから発信された信号に含まれるＩＤとの比較を繰り返す繰り返し比較処理とを行い、前記比較の結果を出力する。
【手続補正４】
【補正対象書類名】明細書
【補正対象項目名】０００９
【補正方法】変更
【補正の内容】
【０００９】
本発明の第４の態様によれば、プログラムは、タグ管理装置のコンピュータを、旧ＲＦＩＤタグと、新ＲＦＩＤタグのそれぞれから発信される信号を検出する信号検出手段、前記旧ＲＦＩＤタグと前記新ＲＦＩＤタグのそれぞれから発信された信号に含まれるＩＤを比較する初回の比較処理と、当該初回の比較処理の結果、前記旧ＲＦＩＤタグと前記新ＲＦＩＤタグのそれぞれから発信された信号に含まれるＩＤが一致しない場合に行われる探索モード処理において前記初回の比較処理において用いた前記旧ＲＦＤタグから発信された信号に含まれるＩＤと、新たな新ＲＦＩＤタグから発信された信号に含まれるＩＤとの比較を繰り返す繰り返し比較処理とを行う比較手段、前記比較の結果を出力する比較結果出力手段、として機能させる。